(57)【要約】      （修正有）【課題】海中発電船の最大の強敵である波動、各種潮流等に依るさまざまな振動が本装置発見申請に依り今迄全く考え得なかった海中発電船の海上海中での最大の弱点であった前記不具合が大きく解消する事となり、海中発電稼働に依る無尽蔵の電気と、海中海水の浄化、大気汚染に依る地球の温暖化等も一気に解消される海中発電船での大切な発見となり、本発見に依りいよいよ海中発電が世界中に出現する事となる。膨大な鋼鉄材等の使用量となる為に、出来るだけ山石、巨石、水中セメント等の活用方法を思考する。【解決手段】人間は必ず無意味な深海水圧に脅えているがあの柔かい「イワシ」の一生での遊泳距離を研究し、簡単に数百ｍ泳ぐ事を疑問に思うべきである。【選択図】図２
2015098865.tif 000002
【特許請求の範囲】
【請求項１】
地上の建造物には基礎が必要であり、同様に本海中発電船に於いてもこの確実な基礎を設置する方法を思考中に偶然にも海中発電船内に「海中浮力安定確保創出水槽」の独立水槽の設置を行ない、この水槽内に強烈な浮力の上昇力となる「浮力創出海中空間」の設置を行い、本水槽内の水位増減調整を行なえば、浮力の調整も可能となる事を発見したものである。
そしてこの強烈な浮力海中空間の完全な海中固定設置には、幾多のロープ等にて海底陸地部分に完全固定設置を行なう事とし、十分な巨石等の投入が行なわれ、確実にこの「浮力創出海中空間」は地球の自然な重力、浮力双方の活用に依り、地上建造物と同様に確実な基礎を備えた「浮力活用海中空間内包設置海中発電船」として海中に出現する事となる。
【発明の詳細な説明】
【技術分野】
【０００１】  〔図１〕の通り海中発電船内の最下部部分の「海中浮力安定確保創出水槽」内に「浮力創出海中空間」部分の設置を行ない、この海中空間より派生する強力な安定した上昇浮力を活用する為に本海中空間の独立設置を行ない、その強烈な浮力の解消の為に大量の山石等を海底海中に投入設置を行ない、この大量の重量物の重力の働きに依る確実に前記海中空間浮力を完全に固定封印する事とすれば、確実に「浮力創出海中空間」部分がほぼ海底陸地面に対して水平固定される事となれば、この上方に設置された「吊下げ式三相交流発電装置」等各種発電設備も、確実に各種海流、波動等よりの海中振動等より、殆んど影響を受けない状態の発電稼動が行なわれる事となる。【０００２】  本発見は正に海中発電にとっては画期的な発見であり、自然の強烈な浮力の自然上昇力の活用と、同時に地球の自然な重力活用等双方の組合わせを海中部分で活用さす事の発見であり、将来人間が海中に挑戦する為に是非共に必要な「海中陸地」創出の為に大切な発見となる。【０００３】  以上の通り図１〜２にて説明する。【０００４】〔図１〕の通りまず海中発電船の最底部部分に「海中浮力安定確保創出水槽」部分の設置を行ない、その水槽内に所定容量の「浮力創出海中空間」部分の設置を行なう事とすれば、まず本水槽内「浮力創出海中空間喫水線」と「外海喫水線」との間に確実に強烈な浮力の発生となる。
そしてこの強烈な浮力を大量の山石等の海底投入設置を行ない重力の活用にて本浮力を完全に押さえ込む事とし、次にこの水槽内上部部分にも「回転扇稼動海中水槽の設置を行ない、二重水槽とし、この上方設置の海中水槽内に発電設備装置の施工を行なう事とし、「海中発電船内喫水線」と「外海喫水線」部分水位差にも確実な浮力の発生となるが当然この浮力差は〔図１〕の通り封入された空気容器等とは違い浮力の弱い各喫水線水位差のみの浮力の発生となるが、当然この浮力部分にも充分な海底投入山石等にて完全に海底固定設置状態となるものとする。
するとこの強烈な浮力のお陰で確実にこの海底部分に連結固定設置が正に「海中陸上建造物」の出現となる。
又この浮力と重力の力関係を海中にて維持する事に於いては陸上での地震の対策等迄もの準備は全く必要では無く、現実には陸上ビル等建設の数分の一のコンクリート鉄材等で建設設置が可能となる事となり、当然長期間海中設置に充分耐える海中発電船となる。【０００５】
【特許文献】特にありません。
【発明の概要】
【発明の解決しようとする課題】
巨大な海中発電船の最大の弱点は海上海中部分での潮流、低気圧等に依る波動振動等であるが、本設置方法に依り、海底陸地部分に大量の山石等の投入設置を行ない、確実に海中発電船内の完全に独立した「浮力創出海中空間」部分の強烈な浮力と「回転扇稼動海中水槽」内の「海中発電船内喫水線」と「外海喫水線」の水位差に依る浮力各々双方の完全な安定設置の出現となり、確実に「浮力創出海中空間」と「回転扇稼動海中水槽」双方の海底陸地に対しての海中固定状態が出現する事と同様となる。
【課題を解決するための手段】
最大の課題である波動振動、潮流震動等を完全に無くす為に各種海中発電船内設備を出来るだけ深海海中の落ちついた海中部分に設置を行なう事とし、より一層の浮力安定確保の為に「回転基軸安定装置」の設置を行ない、常時回転扇部分に生じる諸々の衝撃緩衝装置としての重要な働きを行なう事とし、本装置と「浮力創出海中空間」「海中発電船内喫水線」「回転分銅」等々の設置活用を併合活用を行ない乍ら、最大の懸案事項である海中発電船の波動等が大幅に解消される事となる。
【発明の効果】
深海海中部分に「浮力創出海中空間」部分の設置が行なわれると陸上に建造物を建築する事とほぼ同様に海中建造物も完全な不動状態の設置となり、自然海中での浮力の威力がいかに大きいものであるかの発見と有効活用方法を発見した事は巨大な海中空間が次々の出現となり現実の事となる。
そして「浮力創出海中空間」部分の浮力の強弱は「海中浮力安定確保創出水槽」内の海水の排出入操作にて簡単に施工される事に依り、急速な外海の自然環境の変化にも短時間で充分に対応可能となる。
そしてこの装置設備にて完全な海中発電船の海中海底固定設置と同様の海中設置が出現する事となれば、〔図１〕の「回転扇稼動海中水槽」内に侵入している発電用海水は外海と完全に遮断された正に陸上設置内の普通の巨大なプールとほぼ同じ状態の自然現象内設置陸上プールへと変化する事となる。
そして水圧の恐怖、波動、潮流等々様々な不安要素は確実な建造海中船の船中設置された強力な基礎確保となり、次々と海中高層建造物の深海海中出現となる。
【図面の簡単な説明】
【図１】海中発電船内最下部部分の「海中浮力安定確保創出槽」内に「浮力創出海中空間」部分を設置する。この海中空間部分を海底陸地部分に平行に巨石等を投入活用しロープ等にて完全固定される事とする。「回転基軸安定装置」の設置活用を行ない上方設置回転扇の安定回転を行ない乍ら、同時に回転分銅の活用と「高速回転連結装置」内に設置がされた数段階回転ギア各々稼動の活用を行ない乍ら、「吊下げ式三相交流発電装置」での発電が四六時中海上海中部分にて行なわれる全体図である。
【図２】本海中発電船は、地上での高層ビル等とは全く違い、地上での重力負荷は殆んど必要としない為に巨大な蜂の単の様な構造物で充分であり、空洞容器の連結で強靱な巨大海中空間の出現となり、「浮力創出海中空間」の設置固定に依り、２００ｍ×２００ｍ×８０ｍの海中発電船が海中固定として出現する図である。
【発明を実施するための形態】
〔図１〕の通り設置をする事とすると、当然海中発電船自体の強力な浮力の発生となるがその解消の為に「回転扇稼動海中水槽」部分への海水の侵入が行なわれると大幅に浮力が減退される事となり、残りの浮力はあと僅かの「外海喫水線」と「海中発電船内喫水線」との水位差と回転扇内部分の浮力空間が残るだけとなるが、又この部分の浮力は外海大気圧圏内１気圧空間部内での水位差のみとなる為に、海中発電船が海水を押し除いた分のみの残りの海中に沈んでいる空間分に対してのみの浮力の発生となるものであり、当然浮力の発生力は大幅に弱い力となるが、本申請の通り大気圧園内１気圧空間とは別途完全に独立設置がされた「海中浮力安定確保創出水槽」内に完全な独立空間である「浮力創出海中空間」の設置を行ない本創出水槽内の海水自体の増減に依る「浮力創出海中空間」部分の増減調整が行なわれ安定した「浮力創出海中空間」の設置が行なわれるものとする。
〔図２〕本図の通り海中部分にコンテナ状の鋼鉄容器を積木の如く積立て接合を行ない海中に設置をし、「海中浮力安定確保創出水槽」の設置を行ない、この水槽内に「浮力創出海中空間」を設置をする。
そしてこの海中空間の強烈な浮力を山石、巨石等重量物の海底投入を行ない完全に「海底地上面」に固定設置を行なう事とすると、本「浮力創出海中空間」部分は強烈な浮力、巨石等重量物に依る強力な重力双方の自然現象の活用現出となり、自然界の想像を超えた双方の力の活用方法の最良な形の発見となるものである。
【図１】
2015098865.tif 000003
【図２】
2015098865.tif 000004
【手続補正書】
【提出日】平成26年7月7日(2014.7.7)
【手続補正１】
【補正対象書類名】特許請求の範囲
【補正対象項目名】請求項１
【補正方法】変更
【補正の内容】
【請求項１】
海上海中海底各々部分に広大な規模の海中発電船の安定設置稼動の為に二層海中船の設置を行なう事とし、まず外側部分となる外周船部分の設置がされる事となる。
この外周船海底固定設置に於いては海底部分に完全固定設置とする為に、海上部分で本「外周船」自体を上下三層〜五層と各々組立てコンテナ等の設置分断をし、まず最下層海底設置部分の完成が行われ、この部分が海上浮力容器船の活躍に依り海上海中部分にまず吊り下げられる事となる。
次にこの最下層海底設置外周船の下段より２層目分の外周船の完成となれば、この最下層海底設置部分と下層２層目迄部分の完全に連結設置がされた外周船の一部分が海上海中部分に海上浮力容器船の強力な浮力の活用に依り海上海中部分に吊り下げられた形で設置され、同様に３層目、４層目、五層目と吊り下げ設置が繰り返され最下層海底設置部分が完全に海底部分に安定設置となれば次に地球のエネルギーである強烈な引力の活用となる厖大な量の山石等の投入に依り、外周船の完全な海中固定が重力の発生に依り確実に出現をし、この海底固定外周船船内の海水は陸上での普通の大型プール等と全く遜色の無い海中プールの出現となる。
次にこの広大な外海海中船内側海中プール内部分に完全に分離独立をした「回転扇稼動海中水槽」を設置し、下層部分に「海中浮力安定確保創出水槽」の水槽設置が行なわれ、この上方水槽内部分には回転扇発電装置の設置が行なわれると同時に「浮力創出海中空間」「海中発電設備設置空間」各々部分の設置となり、本設備装置の最大の狙いである強力な山石等の設置投入重力と、各々海中空間現出設備双方の強烈な浮力の現出が、各種潮海流、低気圧等に依る海上海中部分に発生する各種波動振動負荷を大きく減退さす事となり、海中発電の安定稼動に大きく貢献する事となる。
同時にこの広大な二重海中プール内側部分に設置がされる「海中発電設備設置空間」内「海中発電船内喫水線」と外側設置外周船外海部分の外海喫水線との水位差が確実に常時保持される事となり、同時に内側設置海中船内では「大気圧圏内１気圧空気海中空間」の安定保持が確実に出現する事となり、この二段喫水線の継続された安定確保が本設備装置の最大の狙いであり、完全に海中設置となる回転扇発電設備の安定稼動が海上海中部分に出現する事となる「海中浮力安定確保創出水槽創出設置に依る海底固定基礎設置施工海中基礎安定海中固定発電装置設備構想」